(57)【要約】【課題】逆浸透膜透過水（ＲＯ水）を中和し、ＰＨ値を一定に保持して弱アルカリ性にできる水処理装置を提供する。【解決手段】逆浸透膜フィルタと連結して配置するＰＨ調整用フィルタ４を備える。このフィルタ４はＲＯ水を導入する水入口３９及び処理水を流出する水出口４０とを有するハウジング３１と、ハウジング内に形成され、第１の水処理剤層３５を充填した気密性の収容室３２と、水出口４０と連通させてハウジング内に形成された水合流室３３と、水入口３９と水合流室３３とを連通して設けた主流管３４と、この管３４内を水合流室３３へ流出するＲＯ水の一部を管３４の途中で分流させて収容室３２は導入する手段３６と、収容室３２と水合流室を連通する水合流手段３７とを備える。水処理剤層３５はカルシウム成分を含有する複数個のセラミック固形物１５ｂで構成する。【選択図】　　　　　　図５
2004082082.tif 000002
【特許請求の範囲】
【請求項１】
逆浸透膜フィルタ及びＰＨ調整用フィルタとを備え、
被処理水を逆浸透膜を透過して逆浸透膜透過水を得る工程と、
前記透過水を前記ＰＨ調整用フィルタの主流管へ送給し、前記管内を通過して水出口側へ流出させる工程と、
前記管内を通過中の前記水の一部を前記管内の途中で分流させてカルシウム成分を含有する複数個のカルシウム成分含有材で形成された第１の水処理剤層へ導入して前記層を通過させる工程と、
前記分流通過水を前記管から流出する主流の流出水に合流させる工程、とを含むことを特徴とする、
水処理方法。
【請求項２】
請求項１記載の水処理方法において、前記透過水を二価三価鉄塩を含有する複数個のセラミック固形物で形成された第２の水処理剤層を通過させる工程をさらに含むことを特徴とする、水処理方法。
【請求項３】
前記カルシウム成分含有材はカルシウム成分を含有するセラミック固形物で構成されていることを特徴とする、請求項１記載の水処理方法。
【請求項４】
前記カルシウム成分は珊瑚砂、焼成した珊瑚、焼成した貝化石及び焼成した動物骨の群から選ばれる少なくとも１種の物質であることを特徴とする、請求項１ないし３のいずれかに記載の水処理方法。
【請求項５】
前記二価三価鉄塩は、式
Ｆｅ＋２ｍ　Ｆｅ＋３ｎ　Ｃｌ２ｍ＋３ｎ（式中ｍ及びｎは正の整数を示す）で示される化合物であることを特徴とする、請求項１ないし４のいずれかに記載の水処理方法。
【請求項６】
前記二価三価鉄塩は請求項５記載の前記式で示される化合物に代え、磁性を帯びた二価三価鉄塩であることを特徴とする、請求項１ないし４のいずれかに記載の水処理方法。
【請求項７】
前記磁性を帯びた二価三価鉄塩は、磁鉄鉱を濃塩酸に溶解させた後、この溶液を中和し、この中和した溶液を濃縮して結晶化し、この結晶を、磁鉄鉱を濃塩酸に半溶解させた溶液に加える工程とを含んで得られる化合物であることを特徴とする、請求項６記載の水処理方法
【請求項８】
逆浸透膜フィルタと、前記フィルタの逆浸透膜透過水を処理するＰＨ調整用フィルタとを備えた水処理装置であって、
前記ＰＨ調整用フィルタは、水入口及び水出口を有するハウジングと、前記ハウジング内に設けた第１の仕切板で気密性を保持させて前記ハウジング内に形成された収容室と、前記水出口と連通させて前記ハウジング内に形成された水合流室と、前記水入口と前記水合流室とを連通した主流管と、前記収容室内へ充填した第１の水処理剤層と、前記管内を前記水入口から前記水合流室へ流出する水の一部を前記管内の途中で分流させて前記収容室へ導入する分流導入手段と、前記収容室と前記水合流室とを連通する水合流手段とを備え、
前記水処理剤層はカルシウム成分を含有する複数個のカルシウム成分含有材で構成されていることを特徴とする、
水処理装置。
【請求項９】
前記逆浸透膜フィルタとＰＨ調整用フィルタとの間に設けられ、水入口及び水出口を有するハウジング内に第２の水処理剤層を充填した水活性用フィルタをさらに備え、
前記第２の水処理剤層は二価三価鉄塩を含有する複数個のセラミック固形物で構成されていることを特徴とする、請求項８記載の水処理装置。
【請求項１０】
請求項９記載の前記水活性用フィルタは前記ＰＨ調整用フィルタの前記水出口側と連結して設けてあることを特徴とする、請求項８記載の水処理装置。
【請求項１１】
被処理水を前記逆浸透膜フィルタ側へ送給するポンプをさらに備えていることを特徴とする、請求項８ないし１０のいずれかに記載の水処理装置。
【請求項１２】
前記ＰＨ調整用フィルタの下流側と連結して設けた貯水タンクをさらに備えていることを特徴とする、請求項８ないし１１のいずれかに記載の水処理装置。
【請求項１３】
前記カルシウム成分含有材はカルシウム成分を含有するセラミック固形物で構成されていることを特徴とする、請求項８ないし１２のいずれかに記載の水処理装置。
【請求項１４】
前記カルシウム成分は珊瑚砂、焼成した珊瑚、焼成した貝化石及び焼成した動物骨の群から選ばれる少なくとも１種の物質であることを特徴とする、請求項８ないし１３のいずれかに記載の水処理装置。
【請求項１５】
前記二価三価鉄塩は、式
Ｆｅ＋２ｍ　Ｆｅ＋３ｎ　Ｃｌ２ｍ＋３ｎ（式中ｍ及びｎは正の整数を示す）で示される化合物であることを特徴とする、請求項８ないし１４のいずれかに記載の水処理装置。
【請求項１６】
前記二価三価鉄塩は請求項１５記載の前記式で示される化合物に代え、磁性を帯びた二価三価鉄塩であることを特徴とする、請求項８ないし１４のいずれかに記載の水処理装置。
【請求項１７】
前記磁性を帯びた二価三価鉄塩は、磁鉄鉱を濃塩酸に溶解させた後、この溶液を中和し、この中和した溶液を濃縮して結晶化し、この結晶を、磁鉄鉱を濃塩酸に半溶解させた溶液に加える工程とを含んで得られる化合物であることを特徴とする、請求項１６記載の水処理装置。
【請求項１８】
前記分流導入手段は、前記主流管の外周面との間に水流通用の流通路を形成して前記主流管に嵌合すると共に両端を前記収容室内と気密性を保持して設けた分流用流水管と、前記流通路と連通させて前記主流管に設けた分流用連通孔と、前記流通路と前記収容室とを連通する連通部とで構成されていることを特徴とする、請求項８ないし１７のいずれかに記載の水処理装置。
【請求項１９】
前記水合流手段は、前記収容室と前記水合流室とを連通する水導出用の連通部で構成されていることを特徴とする、請求項８ないし１８のいずれかに記載の水処理装置。
【請求項２０】
前記ＰＨ調整用フィルタは、前記主流管の端部を貫通させると共に前記仕切板と前記水出口側方向へ所望の間隔を存して前記ハウジング内に設けた第２の仕切板と、この仕切板と前記第１の仕切板とで仕切られて前記ハウジング内に形成された仕切室とを備え、
前記水合流手段は、前記収容室と前記仕切室とを連通する水導出用の連通部と、前記収容室内に位置させて前記主流管に設けた連通孔若しくは前記仕切室と前記水合流室とを連通する孔又は溝とで構成されていることを特徴とする、請求項８ないし１８のいずれかに記載の水処理装置。
【請求項２１】
請求項１２記載の水処理装置において、前記貯水タンク内に二価三価鉄塩を含有する所望数のセラミック固形物を出し入れ自在に収容してあることを特徴とする、水処理装置。
【請求項２２】
逆浸透膜フィルタと、前記フィルタの逆浸透膜透過水を処理するＰＨ調整用フィルタとを備えた水処理装置であって、
前記ＰＨ調整用フィルタは、水入口及び水出口を有するハウジングと、前記ハウジング内に設けた第１の仕切板で気密性を保持させて前記ハウジング内に形成され、前記水入口と連通した第１の収容室と、前記第１の仕切板と所望の距離間隔を存して前記ハウジング内に設けた第２の仕切板及び前記第１の仕切板とにより気密性を保持させて前記ハウジング内に形成された第２の収容室と、前記水出口と連通させて前記ハウジング内に形成された水合流室と、前記第１及び第２の仕切板を貫通して設けられ、前記第１の収容室と前記水合流室とを連通した主流管と、前記第１の収容室内へ充填した第２の水処理剤層と、前記第２の収容室内へ充填した第１の水処理剤層と、前記主流管内を前記第１の収容室から前記水合流室へ流出する水の一部を前記管内の途中で分流させて前記第２の収容室へ導入する分流導入手段と、前記第２の収容室と前記水合流室とを連通する水合流手段とを備え、
前記第２の水処理剤層は二価三価鉄塩を含有する複数個のセラミック固形物で構成され、
前記第１の水処理剤層はカルシウム成分を含有する複数個のカルシウム成分含有材で構成されていることを特徴とする、
水処理装置。
【請求項２３】
被処理水を前記逆浸透膜フィルタ側へ送給するポンプをさらに備えていることを特徴とする、請求項２２記載の水処理装置。
【請求項２４】
前記ＰＨ調整用フィルタの前記水出口側と連結して設けた貯水タンクをさらに備えていることを特徴とする、請求項２２又は２３記載の水処理装置。
【請求項２５】
前記カルシウム成分含有材はカルシウム成分を含有するセラミック固形物で構成されていることを特徴とする、請求項２２ないし２４のいずれかに記載の水処理装置。
【請求項２６】
前記カルシウム成分は請求項１４記載の物質と同種の物質であることを特徴とする、請求項２２ないし２５のいずれかに記載の水処理装置。
【請求項２７】
前記二価三価鉄塩は、請求項１５記載の前記式で示される化合物であることを特徴とする、請求項２２ないし２６のいずれかに記載の水処理装置。
【請求項２８】
前記二価三価鉄塩は、請求項１５記載の前記式で示される化合物に代え、磁性を帯びた二価三価鉄塩であることを特徴とする、請求項２２ないし２６のいずれかに記載の水処理装置。
【請求項２９】
前記磁性を帯びた二価三価鉄塩は、請求項１７記載の前記化合物であることを特徴とする、請求項２８記載の水処理装置。
【請求項３０】
前記分流導入手段は、前記主流管の外周面との間に水流通用の流通路を形成して前記主流管に嵌合すると共に両端を前記第２の収容室内と気密性を保持させて設けた分流用流水管と、前記流通路と連通させて前記主流管に設けた分流用流通孔と、前記流通路と前記第２の収容室とを連通する連通部とで構成されていることを特徴とする、請求項２２ないし２９のいずれかに記載の水処理装置。
【請求項３１】
前記水合流手段は、前記第２収容室と前記水合流室とを連通する水導出用の連通部で構成されていることを特徴とする、請求項２２ないし３０のいずれかに記載の水処理装置。
【請求項３２】
前記ＰＨ調整用フィルタは、前記主流管の端部を貫通させると共に前記第２の仕切板と前記水出口側方向へ所望の間隔を存して前記ハウジング内に設けた第３の仕切板と、この仕切板と前記第２の仕切板とで仕切られて前記ハウジング内に形成された仕切室とを備え、
前記水合流手段は、前記第２の収容室と前記仕切室とを連通する水導出用の連通部と、前記仕切室内に位置させて前記主流管に設けた連通孔若しくは前記仕切室と前記水合流室とを連通する孔又は溝とで構成されていることを特徴とする、請求項２２ないし３０のいずれかに記載の水処理装置。
【請求項３３】
請求項２４記載の水処理装置において、前記貯水タンク内に二価三価鉄塩を含有する所望数のセラミック固形物を出し入れ自在に収容してあることを特徴とする、水処理装置。
【発明の詳細な説明】
【０００１】
【発明の属する技術分野】
本発明は逆浸透膜を利用した水処理方法及び水処理装置に関する。
【０００２】
【従来の技術】
現在、水の脱塩処理や精製処理等において逆浸透膜を利用した逆浸透（ＲＯ）法が一般に用いられている。このＲＯ法は原水（被処理水）に適当な圧力を掛けて逆浸透膜を透過して原水に含まれている混合物（水分子以外の略全ての物質）を分離除去するシステムである。このＲＯ法による逆浸透膜透過水（ＲＯ水）は純水ないし限りなく純水に近い水になり、医療用の無菌水や人口透析用精製水、或いは電子産業における半導体の製造用水等、さまざまな分野で利用されている。
【０００３】
上記のようにＲＯ水は純水ないし限りなく純水に近い水であるため電子産業等の分野で利用する水としては最適なものが得られる。しかるに、ＲＯ法により逆浸透膜を透過すると原水中に含まれている有効成分、特にカルシウムやマグネシウム等の硬度成分も全て分離除去されるので、ＰＨ値が低下して酸性水となる。
ＲＯ水のＰＨ値は原水の硬度により異なるが、通常の水道水を用いたＲＯ水はＰＨ約５．８〜約６．５、平均約６程度になる。そのため、ＲＯ水をそのまま飲料水等として利用することは健康上よくないと言われている。
【０００４】
そこで、本発明者は前記ＲＯ水を中和してＰＨ値を高める手段として、カルシウム濾材を用いたフィルタを製造し、ＲＯ水を前記フィルタを通過させて処理する方法を試みた。この方法によると、ＲＯ水が前記濾材と接触して反応し、濾材中を通過する間にカルシウム成分がＲＯ水に溶出するので、ＲＯ水のＰＨ値は高くなりアルカリ水化させることができる。
【０００５】
しかるに、前述の方法によると、全てのＲＯ水をカルシウム濾材を通過させるので、ＲＯ水に対するカルシウム成分の溶出量、したがって、ＲＯ水中のカルシウム成分の含有量が多くなり過ぎ、そのためＰＨ値が高くなり過ぎる。実験の結果ではＰＨ値が約１２〜１４程度になることが判明している。ＰＨ値が高くなり過ぎると、ヒトの健康上において良い結果とはならない。身体に好適な水はＰＨ約８弱ないし約８．５程度の弱アルカリ水であると言われている。
【０００６】
また、前述の方法は全てのＲＯ水をカルシウム濾材を通過させるので、使用当初は前記したようにカルシウム成分の溶出量が多く、その後時間の経過に伴ってカルシウム成分の溶出量が次第に少なくなり、その結果、ＰＨ値も次第に低下して弱アルカリ性に中和することができなくなる。
【０００７】
上記のように前述の方法では前記フィルタを通過するＲＯ水のＰＨ値が変化して一定に保持することはできないと共に、長期間に亘りＲＯ水を安定して弱アルカリ化処理することはできない問題を有している。
【０００８】
【発明が解決しようとする課題】
本発明は上記のような実情に鑑み、酸性水であるＲＯ水を初期の段階から長期間に亘り、安定かつ一定に保持させて中和（ＰＨ値を調整）し、身体に好適な弱アルカリ性にし得る水処理方法及び水処理装置を提供することを目的とするものである。
【０００９】
【課題を解決するための手段】
上記目的を達成するため、本発明のうち１つの発明（第１の発明）は水処理方法であって、逆浸透膜フィルタ及びＰＨ調整用フィルタとを備え、被処理水を逆浸透膜を透過して逆浸透膜透過水を得る工程と、前記透過水を前記ＰＨ調整用フィルタの主流管へ送給し、前記管内を通過して水出口側へ流出させる工程と、前記管内を通過中の前記水の一部を前記管内の途中で分流させてカルシウム成分を含有する複数個のカルシウム成分含有材で形成された第１の水処理剤層へ導入して前記層を通過させる工程と、前記分流通過水を前記管から流出する主流の流出水に合流させる工程、とを含むことを特徴とする。
【００１０】
第１の発明は上記のように、ＰＨ調整用フィルタへ送給した逆浸透膜透過水の全てを前記処理剤層を通過させないで、前記透過水の一部を分流させる。そして、この分流水だけを前記層を通過させ、この分流通過水（この水はＰＨ値が高い）を非通過水（主流の流出水）に合流させて流出するものである。したがって、第１の発明によれば酸性の前記透過水は前記分流通過水により中和（ＰＨ値を調整）され、弱アルカリ水となる。また、一部の水だけを前記層を通過させるので、前記処理剤を長期間にわたり有効に作用させ、安定かつ一定に保持させて前記透過水を中和してＰＨ値を所望の数値に調整することができる。
【００１１】
本発明において、前記逆浸透膜フィルムに使用される前記逆浸透膜の素材や形態等は何らの限定はなく、全て適応可能である。上記構成に関しては以下に説明する発明についても同様である。
【００１２】
第１の発明において、前記カルシウム成分含有材は、カルシウム成分を含有するセラミック固形物で構成することができる。前記カルシウム成分を含有する物質の種類は特に限定されるものではないが、例えば珊瑚砂、焼成した珊瑚、焼成した貝化石及び焼成した動物骨等が挙げられ、これらの中から１種又は複数種を選択して採用することができる。前記構成に関しては以下に説明する発明についても同様である。
【００１３】
本発明のうち、他の１つの発明（第２の発明）は第１の発明において、前記透過水を、二価三価鉄塩を含有する複数個のセラミック固形物で形成された第２の水処理剤層を通過させる工程をさらに含むことを特徴とする。
【００１４】
前記二価三価鉄塩は近年開発された活性物質で、この活性物質は二価鉄と三価鉄との中間の性質を示す鉄の塩酸塩，硫酸塩，硝酸塩等の無機塩、及び蟻酸塩，酢酸塩，プロピオン酸塩等の有機塩であり、例えば、塩化第二鉄を水酸化ナトリウム，水酸化カルシウム，水酸化カリウム，水酸化リチウム等の強アルカリの水溶液に投入して原子価変換を起こさせた場合の遷移形態等として得られるもので、現在工業的に生産可能である。
【００１５】
前記二価三価鉄塩の活性物質は水と接触することにより、次のような作用を有することが判明している。即ち、通常の水に前記活性物質を超微量（濃度２×１０−１２モル＝１／２０兆）混入することにより、この物質１／２０兆％水溶液（以下、この水溶液を便宜上「パイウォーター」という）は以下のような特性をもつことが判明している。
【００１６】
（水分子の構造変化）…通常、水の水分子は水素と酸素の重心がかさならないため、プラス・マイナスの極性が起こる。そのため、水分子が水素結合によってカゴ状に結合するため、カゴの中に炭化水素，メタン，気体等を溶かし込むことになる。これに対し、パイウォーターでは電子スピンによって水分子及び水分子の結合構造を極性分子から無極性分子に変化、即ち、Ｈ（水素）とＯ（酸素）の重心をかさね、双極性を無にする。つまり、プラス及びマイナスを水分子自体が持たなくなり、その結果、通常の水のように炭化水素等を溶かし込むことはなくなる。
【００１７】
（脱イオン反応）…通常、水中では金属及び金属塩はイオン解離し、イオン反応を主体とする物質変化が起こるが、パイウォーター中ではプラス・マイナスが無くなるため、金属イオンの脱解離が起こり非イオン反応系を形成する。
【００１８】
（病原菌の阻止）…バクテリア等の雑菌は単細胞の微生物でマイナスチャージをもっており、通常水のイオン反応系では生息するがパイウォーター中ではイオン反応を抑制し、雑菌の平衡状態を変化させ増殖はもちろん生息できない環境にする。
【００１９】
前記物質は上述したように、水分子の構造を変化させて活性することは実験上証明されている。第２の発明は上述したように、前記透過水を前記活性物質を含有する複数個のセラミック固形物で形成された前記水処理剤層を通過させる工程を含むものである。したがって、第２の発明にあっては、前記透過水は前記層を通過中、前記固形物の前記活性物質と接触して反応し、二価三価鉄塩を含有する水となる。このように、第２の発明によれば第１の発明に加え、二価三価鉄塩の作用による上述した特性を有する水になる。
【００２０】
本発明において、前記二価三価鉄塩としては、例えば式、
Ｆｅ＋２ｍ　Ｆｅ＋３ｎ　Ｃｌ２ｍ＋３ｎ（式中ｍ及びｎは正の整数を示す）で示される化合物が例示できる。前記式で示される物質の具体的製造方法として、例えば、次の工程により得たものを例示する。即ち、塩化第二鉄を強アルカリの水溶液に溶解させる工程、この溶液を塩酸で中和する工程、この中和した溶液を濃縮して結晶を得る工程、とを含んで製造することができる。なお、上記製造方法はその一例を示したもので、これに限定されるものではない。
【００２１】
第２の発明において、前記二価三価鉄塩は、前記式で示される化合物に代え、磁性を帯びた二価三価鉄塩を採用することもできる。前記磁性を帯びた二価三価鉄塩は、電磁気処理による特性と化学処理による特性の両方を同時に兼ね備えた活性物質で、例えば磁鉄鉱を化学処理して得られる。
【００２２】
前記磁性を帯びた二価三価鉄塩の活性物質は水と接触することにより、次のような作用を奏する特性を有している。即ち、通常の水に前記活性物質を超微量（濃度２×１０−１２モル＝１／２０兆）混入することにより、この物質１／２０兆％水溶液は、上述したパイウォーターのもつ特性に加え、電磁気処理した活性水と同様な特性をもち、特にこの活性物質は水に溶解して共存するので、外部から磁場をかけた活性水に比べ水に強く、かつ効果的に作用する。
【００２３】
本発明において、前記磁性を帯びた二価三価鉄塩としては、例えば磁鉄鉱を濃塩酸に溶解させた後、この溶液を中和し、この中和した溶液を濃縮して結晶化し、この結晶を、磁鉄鉱を濃塩酸に半溶解させた溶液に加える工程を含んで得られる化合物が例示できる。
【００２４】
前記二価三価鉄塩の構成等に関しては以下に説明する発明についても同様である。
【００２５】
本発明のうち、さらに他の１つの発明（第３の発明）は、逆浸透膜フィルタと、前記フィルタの逆浸透膜透過水を処理するＰＨ調整用フィルタとを備えた水処理装置であって、前記ＰＨ調整用フィルタは、水入口及び水出口を有するハウジングと、前記ハウジング内に設けた第１の仕切板で気密性を保持させて前記ハウジング内に形成された収容室と、前記水出口と連通させて前記ハウジング内に形成された水合流室と、前記水入口と前記水合流室とを連通した主流管と、前記収容室内へ充填した第１の水処理剤層と、前記管内を前記水入口から前記水合流室へ流出する水の一部を前記管内の途中で分流させて前記収容室へ導入する分流導入手段と、前記収容室と前記水合流室とを連通する水合流手段とを備え、前記水処理剤層はカルシウム成分を含有する複数個のカルシウム成分含有材で構成されていることを特徴とする。
【００２６】
第３の発明は、前記主流管内を前記水入口から水出口側へ流出する前記透過水の一部を前記管内の途中で分流させる。そして、この分流水だけを前記収容室内へ導入して前記層を通過させ、この分流通過水（この水はＰＨ値が高い）を前記水出口側へ流れる前記水と合流させる。したがって、第３の発明によれば第１の発明と同様の作用効果を奏する。なお、前記カルシウム成分含有材は第１の発明と同様のものを採用できる。
【００２７】
第３の発明において、前記分流導入手段は、例えば前記主流管の外周面との間に水流通用の流通路を形成して前記主流管に嵌合すると共に両端を前記収容室内と気密性を保持して設けた分流用流水管と、前記流通路と連通させて前記主流管に設けた分流用連通孔と、前記流通路と前記収容室とを連通する連通部とで構成することができる。また、前記水合流手段は、例えば前記収容室と前記水合流室とを連通する水導出用の孔又は溝で構成することができる。
【００２８】
また、第３の発明において、前記ＰＨ調整用フィルタは、前記主流管の端部を貫通させると共に前記仕切板と前記水出口側方向へ所望の間隔を存して前記ハウジング内に設けた第２の仕切板と、この仕切板と前記第１の仕切板とで仕切られて前記ハウジング内に形成された仕切室とを備え、前記水合流手段は、前記収容室と前記仕切室とを連通する水導出用の連通部と、前記収容室内に位置させて前記主流管に設けた連通孔若しくは前記仕切室と前記水合流室とを連通する孔又は溝とで構成することができる。
【００２９】
本発明のうち、さらに他の１つの発明（第４の発明）は、第３の発明において、前記逆浸透膜フィルタとＰＨ調整用フィルタとの間に設けられ、水入口及び水出口を有するハウジング内に第２の水処理剤層を充填した水活性用フィルタをさらに備え、前記第２の水処理剤層は二価三価鉄塩を含有する複数個のセラミック固形物で構成されていることを特徴とする。
【００３０】
本発明のうち、さらに他の１つの発明（第５の発明）は、第３の発明において、前記水活性用フィルタは前記ＰＨ調整用フィルタの前記水出口側と連結して設けてあることを特徴とする。これら第４及び第５の発明によれば第２の発明と同様の作用効果を奏する。
【００３１】
本発明において、被処理水を前記逆浸透膜フィルタ側へ送給するポンプを備えた構成を採用することができる。また、前記ＰＨ調整用フィルタの下流側と連結して設けた貯水タンクを備えた構成を採用することができる。さらにまた、前記タンク内に二価三価鉄塩を含有する所望数のセラミック固形物を出し入れ自在に収容する構成を採用することができる。これらの構成に関しては以下に説明する発明についても同様である。
【００３２】
本発明のうち、さらに他の１つの発明（第６の発明）は、逆浸透膜フィルタと、前記フィルタの逆浸透膜透過水を処理するＰＨ調整用フィルタとを備えた水処理装置であって、前記ＰＨ調整用フィルタは、水入口及び水出口を有するハウジングと、前記ハウジング内に設けた第１の仕切板で気密性を保持させて前記ハウジング内に形成され、前記水入口と連通した第１の収容室と、前記第１の仕切板と所望の距離間隔を存して前記ハウジング内に設けた第２の仕切板及び前記第１の仕切板とにより気密性を保持させて前記ハウジング内に形成された第２の収容室と、前記水出口と連通させて前記ハウジング内に形成された水合流室と、前記第１及び第２の仕切板を貫通して設けられ、前記第１の収容室と前記水合流室とを連通した主流管と、前記第１の収容室内へ充填した第２の水処理剤層と、前記第２の収容室内へ充填した第１の水処理剤層と、前記主流管内を前記第１の収容室から前記水合流室へ流出する水の一部を前記管内の途中で分流させて前記第２の収容室へ導入する分流導入手段と、前記第２の収容室と前記水合流室とを連通する水合流手段とを備え、前記第２の水処理剤層は二価三価鉄塩を含有する複数個のセラミック固形物で構成され、前記第１の水処理剤層はカルシウム成分を含有する複数個のカルシウム成分含有材で構成されていることを特徴とする。
【００３３】
第６の発明によれば、前記フィルタの水入口から前記ハウジング内に導入される前記透過水は、前記第２の水処理剤層を通過し、この通過水は前記主流管内を通って前記水合流室内へ流出する。一方、前記管内を流れる水の一部は前記管内の途中で分流して前記第２の収容室内へ導入され、前記第１の水処理剤層を通過する。そして、この分流通過水（この水はＰＨ値が高い）は前記水合流室内へ流出する前記水と合流する。したがって、第６の発明によれば第１の発明及び第２の発明の両方の作用効果を同時に兼ね備える。
【００３４】
なお、前記カルシウム成分含有材は第１の発明と同様のものを採用できる。また、前記二価三価鉄塩についても前記した発明と同様である。
【００３５】
第６の発明において、前記分流手段は、例えば前記主流管の外周面との間に水流通用の流通路を形成して前記主流管に嵌合すると共に両端を前記第２の収容室内と気密性を保持させて設けた分流用流水管と、前記流通路と連通させて前記主流管に設けた分流用流通孔と、前記流通路と前記第２の収容室とを連通する連通部とで構成することができる。また、前記水合流手段は、例えば前記第２の収容室と前記水合流室とを連通する水導出用の連通部で構成することができる。
【００３６】
また、第６の発明において、前記ＰＨ調整用フィルタは、前記主流管の端部を貫通させると共に前記第２の仕切板と前記水出口側方向へ所望の間隔を存して前記ハウジング内に設けた第３の仕切板と、この仕切板と前記第２の仕切板とで仕切られて前記ハウジング内に形成された仕切室とを備え、前記水合流手段は、前記第２の収容室と前記仕切室とを連通する水導出用の連通部と、前記仕切室内に位置させて前記主流管に設けた連通孔若しくは前記仕切室と前記水合流室とを連通する孔又は溝とで構成することができる。
【００３７】
【発明の実施の形態】
以下、図面を参照して本発明の実施の形態の一例について説明する。図１は本発明の水処理装置の一実施の形態の全体構成の概略を示すブロック図、図２は同上装置に採用される逆浸透膜フィルタの一例を示す縦断面図、図３は前記フィルタの逆浸透膜エレメントの構成を説明するために示す説明図、図４は前記フィルタの逆浸透膜部分を示す縦断面図、図５は同上装置に採用されるＰＨ調整用フィルタを示す縦断面図、図６は前記調整用フィルタの作用説明である。
【００３８】
これら図１ないし図６において、この実施の形態（実施の形態１）の水処理装置は、図１に示すように、一次フィルタ１と、このフィルタ１と管路Ｐ１で連結した二次フィルタ２と、このフィルタ２と管路Ｐ２で連結した逆浸透膜フィルタ３と、このフィルタ３と管路Ｐ３で連結したＰＨ調整用フィルタ４と、このフィルタ４と管路Ｐ４で連結した貯水タンク５とを備えている。
【００３９】
前記一次フィルタ１は一次処理用のフィルタで、炭素繊維等のフィルタ素子が内臓され、約５μｍ以上の物質を濾過して分離除去するように構成されている。
このフィルタ１は入口部を原水供給部６（水道等の蛇口等）と管路Ｐ５で連結され、原水（水道水等）を前記フィルタ１へ圧力導入するように構成してある。これにより、原水は前記フィルタ１を通して鉄錆や水垢等の比率的大きめ（約５μｍ以上）の不純物が除去され、一次処理水となって二次フィルタ２へ送給される。
【００４０】
前記二次フィルタ２は二次処理用のプレフィルタで、高吸着活性炭等の濾過素子が内臓され、約１μｍ以上の物質を吸着・濾過して分離除去するように構成されている。このフィルタ２は入口部２ａを前記フィルタ１の出口部１ｂと前記管路Ｐ１で連結して配置されている。
【００４１】
前記管路Ｐ１中にはポンプ７が介装して設けられ、前記フィルタ１から送出される水（一次処理水）を前記ポンプ７で前記二次フィルタ２へ圧力送給するようにしてある。前記ポンプ７は例えばブースタポンプ等で構成され、水を所定の圧力で送給するようになっている。前記ポンプ７は水の送給圧力を調整できるタイプのものを採用することが好ましい。前記一次処理水は前記ポンプ７により所定の圧力で前記二次フィルタ２へ送給され、前記フィルタ２を通過する間に塩素，一部の雑菌，水臭気等、約１μｍ以上の不純物が除去され、二次処理水となって前記逆浸透膜フィルタ３へ所定の圧力で送給される。
【００４２】
前記タンク５は前記ＰＨ調整用フィルタ４から流出する処理水を貯留するもので、入口部５ａ及びコック８を備えている。前記フィルタ４と前記タンク５の入口部５ａを連結した前記管路Ｐ４中には電磁弁９が介装して設けてある。前記タンク５は所定部にタンク５内の水位を検知するセンサ（図示せず）を備え、このセンサは前記電磁弁９及び前記ポンプ７と関連させてあり、タンク５内の水位が所定の位置に達すると、ポンプ７の稼動を停止すると共に電磁弁９を閉じ、タンク５内の水位が所定の位置より低下するとポンプ７を稼動すると共に電磁弁９を開くように構成してある。これによりタンク５内には常時所定量の水が貯留される。
【００４３】
また、前記タンク５はプラグ型アキュムレータ等の空気圧力タンクを採用することもできる。この場合にはタンク５の所定部にタンク５内の圧力を検知するセンサ（図示せず）を前記ポンプ７及び電磁弁９と関連して設ける。そして、タンク内の圧力を前記センサで検知させ、ポンプ７の稼動・停止及び電磁弁９の開閉を制御するように構成する。
【００４４】
前記逆浸透膜フィルタ３は前記管路Ｐ２により前記二次フィルタ２の出口部２ｂと連結して配置され、フィルタ２から送出される水（二次処理水）が圧力導入される。このフィルタ３は水に含まれる略全ての溶解物（水分子以外の略全ての物質）を分離除去するものである。
【００４５】
この実施の形態１の前記逆浸透膜フィルタ３は、図２に示すように、入口部１２及び出口部１３を有するハウジング１１と、前記入口部１２側と出口部１３側とを仕切るように、前記ハウジング１１内に収容して設けた逆浸透膜エレメント１４とを備えている。前記ハウジング１１は円筒状に形成され、両端に閉塞板１５及び１６を備えている。前記入口部１２は一方の閉塞板１５に、また、前記出口部１３は他方の閉塞板１６に設けてある。
【００４６】
前記入口部１２は前記管路Ｐ２により前記二次フィルタ２の出口部２ｂと連結されている。前記出口部１３は逆浸透膜を透過した逆浸透膜透過水の出口である。前記他方の閉塞板には前記逆浸透膜を透過しない水を排出する排水出口１７が設けてある。
【００４７】
前記逆浸透膜エレメント１４は逆浸透膜を形態化したもので、逆浸透膜の形態には平膜，複合膜或いは中空糸膜等があり、その素材には高分子（セルロール系，ポリアミド系，ポリスルホン，ポリエチレン，ポリプロピレン，ポリアクリロニトリル等）のものと無機（セラミック）のものとがある。また、前記エレメント１４の形態にはスパイラル型，平板型，プリーツ型或いは複数本の中空糸膜を束ねて形成した中空糸型等がある。本発明はこれらの素材及び形態に左右されるものではなく、全て適応可能である。
【００４８】
この実施の形態１の前記エレメント１４は、図３に示すように、複数の透孔１８ａが形成された中空管１８と、前記管１８の外周に配置した複数の逆浸透膜１９と、前記各膜１９間に介在したコルゲート状やネット状等のスペーサ２０、及び透過水通過層２１とを備えている。前記逆浸透膜１９は、図４に示すように全体として袋状に形成され、その中に例えばトリコット等からなる前記通過層２１が収容されている。そして、図３に示すように、前記逆浸透膜１９の開口部１９ａで前記中空管１８の透孔１８ａ包むようにして、前記各逆浸透膜１９の開口端部を樹脂接着剤等により気密性を保持して前記管１８の外周面に固着されて前記管１８の周囲に配置されている。これにより各膜１９の内部は透孔１８ａを介して中空管１８内と連通している。
【００４９】
そして、各逆浸透膜１９を各スペーサ２０と一緒に中空管１８に渦巻状に巻き付けてスパイラル型に構成され、全体の両端に通液構造の枠体２２，２３（図２参照）を装着することによりスパイラル構造を維持している。
【００５０】
前記枠体２２，２３には弾性ガスケート２４，２５が固定されている。前記エレメント１４は、一方の枠体（図示では枠体２２）を一方の閉塞板１５側に、また、他方の枠体（図示では枠体２３）を他方の閉塞板１６側に位置させて、前記ガスケート２４，２５でシールされてハウジング１１内に収容されている。
【００５１】
前記中空管１８の一端１８ａ（図２において枠体２２側）は閉塞され、前記管１８の他端１８ｂ（図２において枠体２３側）側は前記閉塞板１６を貫通すると共にシールして板１６外に突出させ、この突出端部で前記出口部１３を構成してある。
【００５２】
前記構成により、ハウジング１１の入口部１２から圧力導入される水（二次処理水）は、図２に矢印で示すように枠体２２側から逆浸透膜１９のスペーサ２０の部分へ導入される。この水はスペーサ２０の部分を通る過程で、その一部の水が逆浸透膜１９を透過する。そして、前記膜１９を透過した水は前記通過層２１に沿って次第に中空管１８に近ずき、透孔１８ａを経て中空管１８内に取込まれ、残りの水は排水出口１７からハウジング１１外へ排出され、前記出口１７と連結した排水管路Ｐ６（図１参照）を通って所定部に排水される。
【００５３】
一方、前記管１８内に取り入れられた透過水は出口側１３からハウジング１１外へ送出され、ＰＨ調理用フィルタ４へ送給される。この透過水は前記膜２１の透過により、水分子以外の略全ての物質が分離除去され、純水ないし限りなく純水に近い水になる。なお、前記透過水は上述したように、水中に含まれているカルシウムやマグネシウム等の硬度成分も全て分離除去されるので、ＰＨ値が低下してＰＨ約５．８〜約６．５、平均約６程度の酸性水となる。
【００５４】
前記ＰＨ調理用フィルタ４は前記透過水を中和処理するものである。このフィルタ４は前記管路Ｐ３により逆浸透膜フィルタ３の出口部１３と連結して配置され、前記フィルタ３から送出される前記透過水が導入される。
【００５５】
この実施の形態１のＰＨ調理用フィルタ４はフィルタ４は図５に示すように、ハウジング３１と、収容室３２と、水合流室３３と、主流管３４と、第１の水処理剤層３５と、分流導入手段３６と、水合流手段３７、及び仕切室３８とを備えている。
【００５６】
前記ハウジング３１は水入口３９及び水出口４０を有している。図示のハウジング３１は一端を閉塞板３１ｂで閉塞し、他端を開口した円筒状の容器本体３１ａと、容器本体３１ａの開口他端に気密性を保持させて嵌合した密閉蓋体３１ｃとを備えている。前記水出口４０は前記蓋体３１ｃに設けてある。
【００５７】
前記収容室３２はハウジング３１内（図示では容器本体３１ａ内）に、前記閉塞板３１ｂと適当な距離間隔を存して設けた第１の仕切板４２で気密性を保持させてハウジング３１内に形成されている。前記収容室３２は前記処理剤層３５を充填して収容するもので、収容室３２の容積は適当に決定できる。
【００５８】
前記仕切室３８は前記仕切板４２と水出口４０側方向へ適当な間隔を存しハウジング３１内（図示では容器本体３１ａ内）に設けた第２の仕切板４３と、この仕切板４３と第１の仕切板４２とで気密性を保持させてハウジング３１内に形成されている。前記仕切室３８内にはフェルト材やグラスファイバーその他の素材よりなるフィルタ部材４４が収容してある。
【００５９】
前記水合流室３３は、前記水出口４０と連通させると共に第２の仕切板４３で気密性を保持させてハウジング３１内に形成されている。また、実施の形態１の水合流室３３内には、前記第２の仕切板４３と適当な間隔を存して設けられ、任意数、かつ、適当な大きさの孔４５を有するフィルタ受け板４６で区切られて形成したフィルタ室４７が形成されている。前記フィルタ室４７内には前記と同様のフィルタ部材４８が収容されている。なお、前記フィルタ室４７は所望に応じて設けるもので省略してもよい。
【００６０】
前記主流管３４は水入口３９と水合流室３３とを連通させ、水入口３９から導入される水（前記透過水）を水合流室３３へ流出させるものである。実施の形態１の主流管３４は適当な太さ及び長さのパイプで構成され、一端部を前記第１及び第２の仕切板４２、４３を貫通させ、また、他端部を前記閉塞板３１ｂを貫通させると共にシールして前記板３１ｂ外に突出させて設けられ、この突出端部で前記水入口３９を構成してある。また、前記管３４の前記第１及び第２の仕切板４２、４３との貫通部もそれぞれシールしてある。
【００６１】
前記水処理剤層３５は、前記収容室３２内に充填して設けたカルシウム成分を含有する複数個のカルシウム成分含有材３５ａで構成されている。実施の形態１の前記成分含有材３５ａはカルシウム成分を含有するセラミック固形物３５ｂで構成されている。
【００６２】
前記カルシウム成分を含有する物質の種類は特に限定されるものではないが、例えば、珊瑚砂、焼成した珊瑚、焼成した貝化石及び焼成した動物骨等が挙げられ、これらの中から１種又は複数種を選択して採用することができる。また、前記成分含有材３５ａをセラミック固形物３５ｂで構成する場合には、前記例示した物質の中でも特に焼成した動物骨を粉末化した骨粉を採用するのが最も好ましい。この事実は長期間にわたる研究・実験の成果として判明したものである。
【００６３】
前記セラミック固形物３５ｂは任意の方法により適当な大きさ及び形状に形成するもので、実施の形態１ではボール状に形成したものが図示されている。また、セラミック固形物３５ｂは無数の微細な孔（室）を備えた多孔質に形成することが好ましい。なお、セラミック固形物の製造方法の具体例については追って説明する。
【００６４】
前記分流導入手段３６は、前記管３４内を水入口３９から水合流室３３へ流出する水の一部を前記管３４内の途中で分流させて前記収容室３２内へ導入するものである。実施の形態１の前記手段３６は、前記主流管３４の外周面との間に水流通用の流通路４９を形成して前記管３４に嵌合すると共に両端を収容室３２内と気密性を保持して設けた分流用流水管５０と、流通路４９と連通させて主流管３４に設けた分流用連通孔５１と、流通路４９と収容室３２とを連通する連通部５２とで構成されている。
【００６５】
前記流水管５０を収容室３２内と気密性を保持させる手段として、図５では前記管５０の一部を第１の仕切板に、また、他端を閉塞板３１ｂの内壁面にそれぞれ当接し、前記両当接部をそれぞれシールする構成を採用したものが開示されている。この場合前記管５０の両端を主流管３４の外周面とそれぞれシールする構成等を採用してもよく、要は収容室３２内と流通路４９とを気密にシールするように構成すればよいものである。
【００６６】
前記連通孔５１は主流管３４の適当な位置に設けるもので、図５の連通孔５１は第１の仕切板の近くに位置させて設けたものが開示されている。また、連通部５２を設ける位置も適当に決められるものであるが、収容室３２内へ導入される水が水処理剤層３５のほゞ全域を通過させる部位に設けることが好ましい。図示の連通部５２は閉塞板３１ｂの近くに位置させて前記流水管５０に設けた孔で構成されている。この場合、前記連通部５２は閉塞板３１ｂの内壁面に流通路４９と収容室３２と連通する溝を設け、この溝で連通部５２を構成する等、変更可能なものである。
【００６７】
前記連通孔５１の大きさにより主流管３４内を流れる水を流通路４９へ分流させる量が決定される。前記孔５１の大きさは適当に決めるものであるが、例えば主流管３４として内径約１０ミリのパイプを採用する場合には、前記孔５１の大きさは例えば、直径約０．１ミリないし約０．６ミリ程度の範囲が挙げられる。
但し、上記範囲に限定するものではない。前記例示した範囲内で前記孔５１の大きさを変えることにより、流通路４９への分流量を調整することができる。また、前記連通部５２を構成する孔の大きさにより流通路４９から前記室３２内へ導入される水の分量が決定される。この連通部５２を構成する孔の大きさも前記と同様の範囲に設定することができる。
【００６８】
前記水合流手段３７は、前記収容室３２と水合流室３３とを連通させ、前記室３２内の前記処理剤層３５を通過した通過水を水合流室３３へ導入して合流させるものである。実施の形態１の前記手段３７は、収容室３２と仕切室３８とを連通する水導出用の連通部５３と、仕切室３８内に位置させて主流管３４に設けた連通孔５４とで構成されている。
【００６９】
図５に示す前記連通部５３は前記仕切板４２に設けた孔で構成されている。この場合、連通部５３はハウジング３１の容器本体３１ａの内壁面に収容室３２と仕切室３８とを連通する溝を設け、この溝で連通部５３を構成してもよい。また、前記連通孔５４に代え、第２の仕切板４３に仕切室３８と水合流室とを連通する孔を設け、或いは主流管３４の外周面又はハウジングの内壁面に仕切室３８と水合流室３３とを連通する溝を設ける構成を採用してもよい。これらの構成においても原理的には同様に作用する。
【００７０】
なお、前記連通部５３を構成する孔及び連通孔５４の大きさは前記と同様の範囲に設定することができる。
【００７１】
前記構成により、ハウジング３１の水入口３９から導入される逆浸透膜透過水（酸性水）は、図６に矢印で示すように主流管３４内を通って水合流室３３へ導入され、孔４５、フィルタ室４７を通って水出口４０から流出する。一方、前記過程において、主流管３４内を通過中の前記水の一部は分流用連通孔５１で分流され、流通路４９を経て連通部５２から収容室３２内へ導入される。この水は前記室３２内の前記水処理剤層３５を通過して前記連通部５３から導出される。そして、前記水は前記層３５を通過中、前記セラミック固形物３５ｂと接触して陽イオン変換（水素イオンが取り入れられ、その分カルシウムイオンが放出される）が行なわれ、中和される。
【００７２】
上記のように、前記室３２内へ導入された酸性の前記水は前記層３５を通過する間に中和処理される。そして、前記層３５を通過した分流通過水（この通過水はＰＨ値が高い）は連通部５３から導出され、仕切室３８内を通って前記連通孔５４から主流管３４内へ入り、主流管３４内の前記透過水（前記層３５を通過しない主流の水）と合流し、前記ルートを通って水出口４０から流出する。したがって、酸性の前記透過水は前記分流通過水により中和（ＰＨ値を調整）され、弱アルカリ水となる。
【００７３】
そして、前記のようにＰＨ値を調整され、水出口４０から流出する前記水は管路Ｐ４を通って貯水タンク５内に入り、貯留される。この水は身体に好適な弱アルカリ水である。そして、所要時に前記タンク５のコック８を開けて使用する。
【００７４】
なお、前記ＰＨ調整用フィルタ４は、一般的には前記水出口４０側を上部に位置させて縦型の姿勢で配置して使用するように構成するようになると思われるが、横型その他任意の姿勢で配置して使用するように構成できること勿論である。
前記した姿勢の配置構成については後述する各実施の形態においても同様である。
【００７５】
また、実施の形態１では、図１に示すように、前記タンク５内に二価三価鉄塩を含有する所望数のセラミック固形物１０を出し入れ自在に収容されている。前記固形物１０は、例えば、多数の孔を有する容器や網製のケース等に入れた状態で前記タンク５内に収容される。前記セラミック固形物１０は所望に応じて設ける。
【００７６】
本発明の水処理装置は、実施の形態１に示すＰＨ調理用フィルタ４の構成において、前記仕切室３８を省略し、収容室３２と水合流室３３とを前記連通部５３（前記した孔又は溝）で直接連通させる構成を採用することもできる。この構成を採用する場合、第２の仕切板４３及び連通孔５４は不要になる。この構成によると前記層３５を通過した通過水は主流管３４から流出する透過水と水合流室３３内で合流する。前記ＰＨ調理用フィルタ４の上記した変形例については後述する実施の形態においても同様である。
【００７７】
図７は本発明の水処理装置の他の実施の形態（実施の形態２）の全体構成の概略を示すブロック図、図８は同上装置に採用される水活性用フィルタの一例を示す縦断面図、図９は前記フィルタの作用説明図、図１０はセラミック固形物の製造工程を示す説明図である。この水処理装置において、実施の形態１で既に説明した構成と共通する部材には同一の符号を付し、説明は省略する。実施の形態２は前記逆浸透膜フィルタ３とＰＨ調理用フィルタ４との間に水活性用フィルタ６０を配置した構成を特徴とする。
【００７８】
前記水活性用フィルタ６０は図８に示すように、水入口６２及び水出口６３を有するハウジング６１と、このハウジング６１内に設けた第２の水処理剤層６４とを備えている。このフィルタ６０は前記水入口６２を前記管路Ｐ３により前記逆浸透膜フィルタ３の出口部１３と連結すると共に前記水出口６３を管路Ｐ７により前記ＰＨ調理用フィルタ４の水入口３９と連結して配置され、前記フィルタ４から送出される前記透過水が導入される。
【００７９】
図示のハウジング６０は一端を閉塞板６１ｂで閉塞し、他端を開口した円筒状の容器本体６１ａと、容器本体６１ａの開口他端に気密性を保持して嵌合した密閉蓋体６１ｃとを備えている。前記水入口６２は閉塞板６１ｂに設けられ、また、前記水出口６３は前記蓋体６１ｃに設けてある。
【００８０】
前記第２の水処理剤層６４はハウジング６１ａ内に充填して設けた二価三価鉄塩を含有する複数個のセラミック固形物１０１で構成されている。前記層６４の両端にはグラスファイバーその他の素材よりなるフィルタ部材６５、６６が敷設されている。
【００８１】
前記セラミック固形物１０１が含有する二価三価鉄塩としては、式Ｆｅ＋２ｍＦｅ＋３ｎ　Ｃｌ２ｍ＋３ｎ（式中ｍ及びｎは正の整数を示す）で示される化合物を採用する。前記式中のｍとｎの比は前記化合物製造のベースに用いる物質の種類等により特定の数値をとる。例えばｍとｎの数値として、１，２又は３等を挙げることができる。
【００８２】
前記セラミック固形物１０１は前記化合物をセラミック基材１０１ａに含有させたものである。前記固形物１０１は適当な大きさ及び形状に形成するもので、この実施の形態では図１０に詳細に示すように、例えば直径約５〜約１５ミリ程度のボール状に形成してある。セラミック基材１０１ａの構成原料は粘土を主材とし、これに所望の添加剤（材）を適量混入する。また、セラミック固形物１０１は無数の微細な孔（室）を備えた多孔質に形成することが好ましく、その形成手段として、前記基材１０１ａの原料中に適量のおがくずを混入するのが製造上においても簡単である。
【００８３】
前記セラミック基材１０１ａの焼成温度は約８００℃〜約１１００℃程度、焼成時間は特に限定されるものではないが、実験の結果では約１０時間〜約３０時間程度が好ましいことが判明した。また、基材１０１ａの原料中に混入する二価三価鉄塩の活性物質の量は極く少量で充分であり、例えばセラミック基材１０１ａの原料を混練して所望の大きさ、形状に形成する際に使用する水（蒸留水等がよい）に約１０万〜約１０００万分の１％混入、即ち、前記活性物質を蒸留水等に約１０万〜約１０００万分の１％含有してなる水溶液を粘土材の練り用水として使用することにより目的を達成することができる。但し、前記％の範囲内に限定するものではない。
【００８４】
次に前記セラミック固形物１０１の具体的な製造方法の一例につき説明する。まづ、上述した式で示される二価三価鉄塩の活性物質は例えば次の方法により製造できる。即ち、１．０ｍｇの塩化第二鉄を１００ｍｌの０．５Ｎカセイソーダ水溶液に入れ、攪拌溶解させて２４時間静置する。前記溶液中に生じた不溶性物質を除去し、この溶液を塩酸で中和した後、減圧濃縮してデシケーター中で乾燥結晶化する。得られた結晶に５０ｍｌのイソプロピルアルコール８０重量％水溶液を加えて再溶解し、減圧濃縮して溶媒を除去、乾燥させ、この再溶解，濃縮，乾燥を数回繰り返すことにより０．２５ｍｇの結晶（二価三価鉄塩の活性物質）を得た。この結晶を約１１（１リットル）の水（蒸留水等）に溶かして原液とする。
【００８５】
次に前記固形物１０１は例えば次の方法により製造できる。即ち、図１０に示すように、セラミック基材１０１ａの主原料として、粘土（粉末）約７０重量％、これに添加剤（材）として、ゼオライト（粉末）約１０重量％、アルミナ（粉末）約１０重量％、おがくず約１０重量％を配合する。そして、上記の原料、即ち、粘土１０２，ゼオライト１０３，アルミナ１０４，おがくず１０５を図１０Ａに示すように適当な容器１０６に入れると共に、これに前記二価三価鉄塩の原液を蒸留水等の水で約１０００〜約２０００倍に希釈した希釈液（水溶液）１０７を適量添加して均一に攪拌混練し、これを所望の大きさ形状（例えば直径１０ミリ程度のボール状）に形成する（図１０Ｂ参照）。そして、この成形品１０１ｂを適当な温度（例えば約８００℃〜約１１００℃程度）で適当時間（例えば約１０時間〜約３０時間）焼成する。これにより、前記成形品１０１ｂはセラミック状に焼成固化し、また、二価三価鉄塩も同時に焼結してセラミック基材１０１ａに均一に担持され、かつ、おがくずは燃焼してセラミック基材１０１ａには全体的に無数の微細な孔（室）１０８が形成され、セラミック固形物１０１が造られる（図１０Ｃ参照）。
【００８６】
上記により製造したセラミック固形物１０１は、これを水に入れると、水はセラミック基材１０１ａの前記孔（室）１０８を通じて基材１０１ａ内に浸み込んで前記物質と接触して反応し、前記式で示される二価三価鉄塩を含有する水となる。また、前記物質はセラミック基材１０１ａに一体に焼結して担持されているので、水に一度に溶出することなく、基材内にとどまって長時間にわたり継続的に安定して作用する（有効作用期間は約１〜２年程度）。
【００８７】
実施の形態２の水処理装置の水活性用フィルタ６０は、ハウジング６１内に前記セラミック固形物１０１を所望数充填して構成した第２の水処理剤層６４を備えている。この構成により、ハウジング６１の水入口６２から導入される逆浸透膜透過水は、図９に矢印で示すように、フィルタ部材６５、前記水処理剤層６４、フィルタ部材６６を通過して水出口６３から流出する。そして、前記水は前記層６４を通過中、セラミック固形物１０１と接触して反応し、前記式で示される二価三価鉄塩を含有する水となる。
【００８８】
水活性用フィルタ６０の水出口６３から流出する前記水は管路Ｐ７を通って前記水入口３９からＰＨ調理用フィルタ４へ導入され、前記と同様に中和（ＰＨ値を調整）されて水出口４０から流出し、管路Ｐ４を通って貯水タンク５内に入り、貯留される。この水は実施の形態１と同様に身体に好適な弱アルカリ性になり、加えて二価三価鉄塩の作用による上述した特性を有する水となる。
【００８９】
実施の形態２において、前記二価三価鉄塩は、前記式で示される化合物に代え、磁性を帯びた二価三価鉄塩を採用することもできる。磁性を帯びた二価三価鉄塩は上述したように電磁気処理による特性と化学処理による特性の両方を同時に兼ね備えた活性物質で、この活性物質は例えば次の方法により製造できる。
【００９０】
即ち、０．１ｇの磁鉄鉱を１０ｍｌの濃塩酸に入れ、攪拌溶解させて２４時間静置する。この溶液に２５ｍｌの２Ｎ水酸化ナトリウム水溶液を加えて２４時間静置し、中和する。この溶液を減圧濃縮して結晶を析出し、空気乾燥器中で結晶を乾燥する。この結晶を１０ｍｌのエチルアルコールに入れて洗浄する。この洗浄操作を数回繰り返して結晶を精製し、活性物質（結晶）を得る。この際の収率は０．８８ｇであった。次いで、５ｇの磁鉄鉱を１０ｍｌの濃塩酸に入れ、攪拌して半溶解させた後、上記工程で得られた活性物質結晶を０．１ｇ加え、良く攪拌して２４時間静置する。この上澄み液をデカンテーション法により不溶の磁鉄鉱と分離し、活性物質溶液（磁性を帯びた二価三価鉄塩の活性物質の溶液）を得る。
【００９１】
そして、前記により得られた活性物質溶液を用い、前記セラミック固形物１０１と同様の方法により処理して磁性を帯びた二価三価鉄塩を担持させたセラミック固形物を製造する。なお、セラミック固形物の製造に当たり、前記基材１０１ａの原料中に混入する前記活性物質溶液の分量についても前記セラミック固形物１０１と同様である。なお、この場合には前記溶液を水（蒸留水等）に溶かして原液とする。これにより処理した水は実施の形態１と同様に身体に好適な弱アルカリ性になり、加えて磁性を帯びた二価三価鉄塩の作用による上述した特性を有する水になる。
【００９２】
図１１は本発明の水処理装置のさらに他の実施の形態（実施の形態３）の全体構成の概略を示すブロック図である。この水処理装置において、実施の形態１及び２で既に説明した構成と共通する部材には同一符号を付して説明は省略する。
【００９３】
実施の形態３は実施の形態２において、前記水活性用フィルタ６０をＰＨ調理用フィルタ４と貯水タンク５との間に配置した構成を特徴とする。即ち、実施の形態３においては、水活性用フィルタ６０は水入口６２を管路Ｐ８によりＰＨ調理用フィルタ４の水出口４０と連結すると共に前記水出口６３を前記管路Ｐ４により貯水タンク５の入口部５ａと連結して配置されている。他の構成については実施の形態２と同様である。この実施の形態３によっても実施の形態２で処理した水と同様の水が得られる。
【００９４】
図１２は本発明の水処理装置のさらに他の実施の形態（実施の形態４）の全体構成の概略を示すブロック図、図１３は同上装置に採用されるＰＨ調理用フィルタの一例を示す縦断面図、図１４は前記フィルタに採用される主流管、分流導入手段及び水合流手段の構成部分を示す図、図１５は前記フィルタの作用説明図である。この水処理装置において、実施の形態１及び２で既に説明した構成と共通する部材には同一符号を付して説明は省略する。
【００９５】
実施の形態４の水処理装置は前記ＰＨ調理用フィルタ４と水活性用フィルタ６０とを組合わせた構成に特徴がある。
【００９６】
実施の形態４のＰＨ調理用フィルタ７０は水入口側を前記管路Ｐ３により逆浸透膜フィルタ３の出口部１３と連結すると共に水出口側を前記管路Ｐ４により前記タンク５の入口部５ａと連結して配置され、前記フィルタ３から送出される前記透過水が導入される。
【００９７】
この実施の形態４のＰＨ調理用フィルタ７０は図１３に示すように、ハウジング７１と、第１の収容室７２と、第２の収容室７３と、水合流室７４と、主流管７５と、前記第１の水処理剤層３５と、前記第２の水処理剤層６４と、分流導入手段７６と、水合流手段７７、及び仕切室７８とを備えている。
【００９８】
前記ハウジング７１は水入口７９及び水出口８０を有し、水入口７９に前記管路Ｐ３の一端が、また、水出口８０に前記管路Ｐ４の一端が接続されている。図示のハウジング７１は一端を閉塞板７１ｂで閉塞し、他端を開口した円筒状の容器本体７１ａと、容器本体７１ａの開口他端に気密性を保持させて嵌合した密閉蓋体７１ｃとを備えている。前記水入口７９は前記板７１ｂに、また、前記水出口８０前記蓋体７１ｃに設けてある。
【００９９】
前記第１の収容室７２はハウジング７１内に、前記閉塞板７１ｂと適当な距離間隔を存して設けた第１の仕切板８１で気密性を保持させると共に水入口７９と連通させてハウジング７１内に形成されている。前記第１の収容室７２は第２の水処理剤層６４を充填して収容するもので、収容室７２の容積は適当に決定できる。
【０１００】
前記第２の収容室７３はハウジング７１内に、前記仕切板８１と水出口８０側方向へ適当な距離間隔を存して設けた第２の仕切板８２と、この板８２と第１の仕切板８１とで気密性を保持させてハウジング７１内に形成されている。この収容室７３は第１の水処理剤層３５を充填して収容するもので、収容室７３の容積は適当に決定できる。
【０１０１】
前記仕切室７８は第２の仕切板８２と水出口８０側方向に適当な間隔を存してハウジング７１内に設けた第３の仕切板８３と、この板８３と第２の仕切板８２とで気密性を保持させてハウジング７１内に形成されている。前記仕切室７８内にはフェルト材やグラスファイバーその他の素材よりなるフィルタ部材８４ａ、８４ｂが収容されている。
【０１０２】
前記水合流室７４は、水出口８０と連通させると共に第３の仕切板８３で気密性を保持させてハウジング７１内に形成されている。また、実施の形態４の水合流室７４内には、第３の仕切板８３と適当な間隔を存して設けられ、任意数、かつ、適当な大きさの孔８５を有するフィルタ受け板８６で区切られて形成したフィルタ室８７が形成されている。前記フィルタ室８７内には前記と同様のフィルタ部材８８が収容されている。なお、前記フィルタ室８７は所望に応じて設けるもので省略してもよい。
【０１０３】
前記主流管７５は第１の収容室７２と水合流室７４とを連通させ、第１の収容室７２から導出される水（第２の水処理剤層の通過水）を水合流室７４へ流出させるものである。実施の形態４の主流管７５は適当な太さ及び長さのパイプで構成され、一端部を第１の仕切板８１を貫通させ、また、他端部を第２及び第３の仕切板８２、８３を貫通させると共に前記各貫通部をそれぞれシールして設けてある。これにより、第１の収容室７２と水合流室７４は主流管７５で連通されている。
【０１０４】
前記分流導入手段７６は、主流管７５内を第１の収容室７２から水合流室７４へ流出する水の一部を前記管７５内の途中で分流させて第２の収容室７３へ導入するものである。実施の形態４の前記手段７６は、主流管７５の外周面との間に水流通用の流通路８９を形成して前記管７５に嵌合すると共に両端を第２の収容室７３と気密性を保持して設けた分流用流水管９０と、流通路８９と連通させて主流管７５に設けた分流用連通孔９１と、前記流通路８９と第２の収容室７３とを連通する連通部９２とで構成されている。
【０１０５】
前記流水管９０を前記室７３内と気密性を保持させる手段として、図面では前記管９０の一端を第１の仕切板８１に、また、他端を第２の仕切板８２にそれぞれ当接し、両当接部をそれぞれシールする構成を採用したものが開示されている。この場合、前記管９０の両端を主流管７５の外周面とそれぞれシールする構成等を採用してもよく、要は第２の収容室７３内と流通路８９とを気密にシールするように構成すればよいものである。
【０１０６】
前記連通孔９１は主流管７５の適当な位置に設けるもので、図示の連通孔９１は第２の仕切板８２の近くに位置させて設けた例が開示されている。また、前記連通部９２を設ける位置も適当に決められるものであるが、第２の収容室７３内に導入される水が第１の水処理剤層３５のほゞ全域を通過させる部位に設けることが好ましい。図示の連通部９２は第１の仕切板８１の近くに位置させて前記流水管９０に設けた孔で構成されている。この場合、連通部９２は第１の仕切板８１の前記室７３側の面に流通路８９と収容室７３とを連通する溝を設け、この溝で連通部９２を構成してもよい。なお、連通孔９１及び連通部９２を構成する孔等の大きさは実施の形態１と同様に設定される。
【０１０７】
前記水合流手段７７は、第２の収容室７３と水合流室７４とを連通させ、前記室７３内の前記層３５を通過した通過水を水合流室７４へ導入して合流させるものである。実施の形態４の前記手段７７は、第２の収容室７３と仕切室７８とを連通する水導出用の連通部９３と、仕切室７８内（図示ではフィルタ部材８４ｂの部位）に位置させて主流管７５に設けた連通孔９４とで構成されている。
【０１０８】
実施の形態４の図面に示す前記連通部９３は第２の仕切板８２に設けた孔で構成されている。この場合、連通部９３は実施の形態１と同様にハウジング７１の内壁面に第２の収容室７３と仕切室７８とを連通する溝を設け、この溝で連通部９３を構成してもよい。また。前記連通孔９４に代え、第３の仕切板８３に仕切室７８と水合流室７４とを連通する孔を設け、或いは主流管７５の外周面又はハウジング７１の内壁面に仕切室７８と水合流室７４とを連通する溝を設ける構成を採用してもよい。なお、前記連通部９３を構成する孔及び連通孔９４の大きさは前記と同様に設定できる。
【０１０９】
前記第１の収容室７２内には前記第２の水処理剤層６４が充填して収容されている。この水処理剤層６４は実施の形態２で開示した二価三価鉄塩を含有する複数個の前記セラミック固形物１０１で構成されている。前記層６４の両端にはグラスファイバー、フェルト材その他の素材よりなるフィルタ部材９５、９６が敷設されている。また、この実施の形態４の第１の収容室７２内には前記閉塞板７１ｂの内壁面にフィルタ受け体９７が突設されている。そして、前記受け体９７で前記一方のフィルタ部材９５を受け止めてある。
【０１１０】
前記第２の収容室７３内には前記第１の水処理剤層３５が充填して収容されている。この水処理剤層３５は実施の形態１で開示したカルシウム成分を含有する複数個の前記カルシウム成分含有材３５ａで構成されている。実施の形態４の前記成分含有材３５ａは実施の形態１と同様にカルシウム成分を含有する前記セラミック固形物３５ｂで構成されている。
【０１１１】
前記セラミック固形物３５ｂは実施の形態２で説明した二価三価鉄塩を含有するセラミック固形物１０１と同様の方法により製造することができる。即ち、例えば、前記セラミック基材１０１ａと同様の材料を前記と同様の割合で配合し、この配合物に対して焼成した動物の骨粉を適当な割合（例えば前記配合物に対して約５重量％ないし約３０重量％）で添加する。そして、前記原料を適当な容器に入れ、これに蒸留水等の水を適量添加して均一に攪拌混練し、これを所望の大きさ及び形状（例えば直径約２ミリ〜約５ミリ程度のボール状）に形成する。この場合、前記水として二価三価鉄塩を含有する水を採用してもよい。この水としては上述した二価三価鉄塩の原液を例えば約１０万倍〜約１０００万倍に希釈した希釈液を使用することができる。
【０１１２】
そして、前記成形品を適当な温度（例えば約８００℃〜約１１００℃程度）で適当な時間（例えば約１０時間〜約３０時間）焼成する。これにより前記成形品はセラミック状に焼成固化し、カルシウム成分を含有するセラミック固形物３５ｂが造られる。このセラミック固形物３５ｂは前記セラミック固形物１０１と同様に、全体的に無数の微細な孔（室）を備えた多孔質に形成される。
【０１１３】
実施の形態４の水処理装置のＰＨ調理用フィルタ７０は前記構成を具備してなっている。この構成により、ハウジング７１の水入口７９から導入される逆浸透膜透過水は、図１５に矢印で示すように、フィルタ部材９５、第２の水処理剤層６４、及びフィルタ部材９６を通過して主流管７５内へ送られる。そして、前記水は前記層６４を通過中、セラミック固形物１０１と接触して反応し、前記二価三価鉄塩を含有する水となる。
【０１１４】
前記主流管７５内へ送られた前記通過水は、同矢印で示すように、前記管７５内を通って水合流室７４へ導入され、孔８５、フィルタ室８７を通って水出口８０から流出する。一方、前記過程において、主流管７５内の通過中の前記水の一部は分流用連通孔９１の部位で分流され、流通路８９を経て連通部９２から第２の収容室７３内へ導入される。この水は前記室７３内の第１の水処理剤層３５を通過して前記連通部９３から導出される。そして、前記水は前記層３５を通過中、前記セラミック固形物３５ｂと接触して前記と同様に陽イオン交換が行なわれ、中和される。
【０１１５】
上記のように、前記室７３内へ導入された前記水は前記層３５を通過する間に中和処理される。そして、前記層３５を通過した分流通過水（この通過水はＰＨ値が高い）は前記したように連通部９３から導出され、仕切室７８内を経て前記連通孔９４から主流管７５内へ入り、主流管７５内の前記透過水（前記層３５を通過しない主流の水）と合流し、前記ルートを通って水出口８０から流出する。
したがって、前記透過水（酸性）は前記分流通過水により中和（ＰＨ値を調整）され、弱アルカリ水となる。
【０１１６】
そして、前記のように水出口８０から流出する前記水は管路Ｐ４を通って貯水タンク５内に入り、貯留される。この水は実施の形態１と同様に身体に好適な弱アルカリ性になり、加えて二価三価鉄塩の作用による上述した特性を有する水となる。
【０１１７】
本発明の水処理装置は、実施の形態４に示すＰＨ調理用フィルタ７０の構成において、前記仕切室７８を省略し、第２の収容室７３と水合流室７４とを前記連通部９３（前記した孔又は溝）で直接連通させる構成を採用することもできる。
この構成を採用する場合、第３の仕切板８３及び連通孔９４は不要となる。この構成によると前記層３５を通過した通過水は主流管７５から流出する前記透過水と水合流室７４内で合流する。
【０１１８】
なお、本発明の水処理装置において、前記タンク５内に収容されるセラミック固形物１０は二価三価鉄塩を含有する前記セラミック固形物１０１と同様のものをを使用することができる。
【０１１９】
【発明の効果】
本発明によれば逆浸透膜透過水を中和（ＰＨ値を調整）して、身体に好適な弱アルカリ性にすることができる。
【図面の簡単な説明】
【図１】本発明の水処理装置の一実施の形態の全体構成の概略を示すブロック図である。
【図２】同上装置に採用される逆浸透膜フィルタの一例を示す縦断面図である。
【図３】図２の前記フィルタの逆浸透膜エレメントの構成を説明するために示す説明図である。
【図４】前記フィルタの逆浸透膜部分を示す縦断面図である。
【図５】同上装置に採用されるＰＨ調理用フィルタを示す縦断面図である。
【図６】前記調理用フィルタの作用説明図である。
【図７】本発明の水処理装置の他の実施の形態の全体構成の概略を示すブロック図である。
【図８】図７の装置に採用される水活性用フィルタの一例を示す縦断面図である。
【図９】図８の前記フィルタの作用説明図である。
【図１０】図８の前記フィルタのセラミック固形物の製造工程を示す説明図であって、同図Ａはセラミック基材の構成原料を製造する工程を示す説明図、同図Ｂはセラミック基材の成形品を製造する工程を示す説明図、同図Ｃはセラミック固形物の完成品を示す説明図である。
【図１１】本発明の水処理装置のさらに他の実施の形態の全体構成の概略を示すブロック図である。
【図１２】本発明の水処理装置のさらに他の実施の形態の全体構成の概略を示すブロック図である。
【図１３】図１２の装置に使用されるＰＨ調理用フィルタの一例を示す縦断面図である。
【図１４】図１３の前記フィルタに採用される主流管、分流導入手段及び水合流手段の構成部分を示す図であって、同図Ａは縦断面図、同図Ｂは同図ＡのＡ−Ａ線断面図、同図Ｃは同図ＡのＢ−Ｂ線断面図である。
【図１５】図１３の前記フィルタの作用説明図である。
【符号の説明】
４…ＰＨ調理用フィルタ
３１…ハウジング
３２…収容室
３３…水合流室
３４…主流管
３５…水処理剤層
３５ｂ…カルシウム成分を含有するセラミック固形物
３６…分流導入手段
３７…水合流手段
３９…水入口
４０…水出口
【図１】
2004082082.tif 000003
【図２】
2004082082.tif 000004
【図３】
2004082082.tif 000005
【図４】
2004082082.tif 000006
【図５】
2004082082.tif 000007
【図６】
2004082082.tif 000008
【図７】
2004082082.tif 000009
【図８】
2004082082.tif 000010
【図９】
2004082082.tif 000011
【図１０】
2004082082.tif 000012
【図１１】
2004082082.tif 000013
【図１２】
2004082082.tif 000014
【図１３】
2004082082.tif 000015
【図１４】
2004082082.tif 000016
【図１５】
2004082082.tif 000017
【手続補正書】
【提出日】平成14年12月5日(2002.12.5)
【手続補正１】
【補正対象書類名】明細書
【補正対象項目名】００１１
【補正方法】変更
【補正の内容】
【００１１】
本発明において、前記逆浸透膜フィルタに使用される前記逆浸透膜の素材や形態等は何らの限定はなく、全て適応可能である。上記構成に関しては以下に説明する発明についても同様である。


【手続補正２】
【補正対象書類名】明細書
【補正対象項目名】００３９
【補正方法】変更
【補正の内容】
【００３９】
前記一次フィルタ１は一次処理用のフィルタで、炭素繊維等のフィルタ素子が内臓され、約５μｍ以上の物質を濾過して分離除去するように構成されている。
このフィルタ１は入口部１ａを原水供給部６（水道等の蛇口等）の管路Ｐ５で連結され、原水（水道水等）を前記フィルタ１へ圧力導入するように構成してある。これにより、原水は前記フィルタ１を通して鉄錆や水垢等の比較的大きめ（約５μｍ以上）の不純物が除去され、一次処理水となって二次フィルタ２へ送給される。


【手続補正３】
【補正対象書類名】明細書
【補正対象項目名】００４６
【補正方法】変更
【補正の内容】
【００４６】
前記入口部１２は前記管路Ｐ２により前記二次フィルタ２の出口部２ｂと連結されている。前記出口部１３は逆浸透膜を透過した逆浸透膜透過水の出口である。前記他方の閉塞板１６には前記逆浸透膜を透過しない水を排出する排水出口１７が設けてある。


【手続補正４】
【補正対象書類名】明細書
【補正対象項目名】００５０
【補正方法】変更
【補正の内容】
【００５０】
前記枠体２２，２３には弾性ガスケット２４，２５が固定されている。前記エレメント１４は、一方の枠体（図示では枠体２２）を一方の閉塞板１５側に、また、他方の枠体（図示では枠体２３）を他方の閉塞板１６側に位置させて、前記ガスケット２４，２５でシールされてハウジング１１内に収容されている。


【手続補正５】
【補正対象書類名】明細書
【補正対象項目名】００５３
【補正方法】変更
【補正の内容】
【００５３】
一方、前記管１８内に取り入れられた透過水は出口部１３からハウジング１１外へ送出され、ＰＨ調整用フィルタ４へ送給される。この透過水は前記膜２１の透過により、水分子以外の略全ての物質が分離除去され、純水ないし限りなく純水に近い水になる。なお、前記透過水は上述したように、水中に含まれているカルシウムやマグネシウム等の硬度成分も全て分離除去されるので、ＰＨ値が低下してＰＨ約５．８〜約６．５、平均約６程度の酸性水となる。


【手続補正６】
【補正対象書類名】明細書
【補正対象項目名】００６５
【補正方法】変更
【補正の内容】
【００６５】
前記流水管５０を収容室３２内と気密性を保持させる手段として、図５では前記管５０の一端を第１の仕切板に、また、他端を閉塞板３１ｂの内壁面にそれぞれ当接し、前記両当接部をそれぞれシールする構成を採用したものが開示されている。この場合前記管５０の両端を主流管３４の外周面とそれぞれシールする構成等を採用してもよく、要は収容室３２内と流通路４９とを気密にシールするように構成すればよいものである。


【手続補正７】
【補正対象書類名】明細書
【補正対象項目名】００７１
【補正方法】変更
【補正の内容】
【００７１】
前記構成により、ハウジング３１の水入口３９から導入される逆浸透膜透過水（酸性水）は、図６に矢印で示すように主流管３４内を通って水合流室３３へ導入され、孔４５、フィルタ室４７を通って水出口４０から流出する。一方、前記過程において、主流管３４内を通過中の前記水の一部は分流用連通孔５１で分流され、流通路４９を経て連通部５２から収容室３２内へ導入される。この水は前記室３２内の前記水処理剤層３５を通過して前記連通部５３から導出される。そして、前記水は前記層３５を通過中、前記セラミック固形物３５ｂと接触して陽イオン交換（水素イオンが取り入れられ、その分カルシウムイオンが放出される）が行われ、中和される。




【手続補正書】
【提出日】平成15年3月17日(2003.3.17)
【手続補正１】
【補正対象書類名】明細書
【補正対象項目名】００５４
【補正方法】変更
【補正の内容】
【００５４】
前記ＰＨ調整用フィルタ４は前記透過水を中和処理するものである。このフィルタ４は前記管路Ｐ３により逆浸透膜フィルタ３の出口部１３と連結して配置され、前記フィルタ３から送出される前記透過水が導入される。


【手続補正２】
【補正対象書類名】明細書
【補正対象項目名】００５５
【補正方法】変更
【補正の内容】
【００５５】
この実施の形態１のＰＨ調整用フィルタ４は図５に示すように、ハウジング３１と、収容室３２と、水合流室３３と、主流管３４と、第１の水処理剤層３５と、分流導入手段３６と、水合流手段３７、及び仕切室３８とを備えている。


【手続補正３】
【補正対象書類名】明細書
【補正対象項目名】００７６
【補正方法】変更
【補正の内容】
【００７６】
本発明の水処理装置は、実施の形態１に示すＰＨ調整用フィルタ４の構成において、前記仕切室３８を省略し、収容室３２と水合流室３３とを前記連通部５３（前記した孔又は溝）で直接連通させる構成を採用することもできる。この構成を採用する場合、第２の仕切板４３及び連通孔５４は不要になる。この構成によると前記層３５を通過した通過水は主流管３４から流出する透過水と水合流室３３内で合流する。前記ＰＨ調整用フィルタ４の上記した変形例については後述する実施の形態においても同様である。


【手続補正４】
【補正対象書類名】明細書
【補正対象項目名】００７７
【補正方法】変更
【補正の内容】
【００７７】
図７は本発明の水処理装置の他の実施の形態（実施の形態２）の全体構成の概略を示すブロック図、図８は同上装置に採用される水活性用フィルタの一例を示す縦断面図、図９は前記フィルタの作用説明図、図１０はセラミック固形物の製造工程を示す説明図である。この水処理装置において、実施の形態１で既に説明した構成と共通する部材には同一の符号を付し、説明は省略する。実施の形態２は前記逆浸透膜フィルタ３とＰＨ調整用フィルタ４との間に水活性用フィルタ６０を配置した構成を特徴とする。


【手続補正５】
【補正対象書類名】明細書
【補正対象項目名】００７８
【補正方法】変更
【補正の内容】
【００７８】
前記水活性用フィルタ６０は図８に示すように、水入口６２及び水出口６３を有するハウジング６１と、このハウジング６１内に設けた第２の水処理剤層６４とを備えている。このフィルタ６０は前記水入口６２を前記管路Ｐ３により前記逆浸透膜フィルタ３の出口部１３と連結すると共に前記水出口６３を管路Ｐ７により前記ＰＨ調整用フィルタ４の水入口３９と連結して配置され、前記フィルタ４から送出される前記透過水が導入される。


【手続補正６】
【補正対象書類名】明細書
【補正対象項目名】００８８
【補正方法】変更
【補正の内容】
【００８８】
水活性用フィルタ６０の水出口６３から流出する前記水は管路Ｐ７を通って前記水入口３９からＰＨ調整用フィルタ４へ導入され、前記と同様に中和（ＰＨ値を調整）されて水出口４０から流出し、管路Ｐ４を通って貯水タンク５内に入り、貯留される。この水は実施の形態１と同様に身体に好適な弱アルカリ性になり、加えて二価三価鉄塩の作用による上述した特性を有する水となる。


【手続補正７】
【補正対象書類名】明細書
【補正対象項目名】００９３
【補正方法】変更
【補正の内容】
【００９３】
実施の形態３は実施の形態２において、前記水活性用フィルタ６０をＰＨ調整用フィルタ４と貯水タンク５との間に配置した構成を特徴とする。即ち、実施の形態３においては、水活性用フィルタ６０は水入口６２を管路Ｐ８によりＰＨ調整用フィルタ４の水出口４０と連結すると共に前記水出口６３を前記管路Ｐ４により貯水タンク５の入口部５ａと連結して配置されている。他の構成については実施の形態２と同様である。この実施の形態３によっても実施の形態２で処理した水と同様の水が得られる。


【手続補正８】
【補正対象書類名】明細書
【補正対象項目名】００９４
【補正方法】変更
【補正の内容】
【００９４】
図１２は本発明の水処理装置のさらに他の実施の形態（実施の形態４）の全体構成の概略を示すブロック図、図１３は同上装置に採用されるＰＨ調整用フィルタの一例を示す縦断面図、図１４は前記フィルタに採用される主流管、分流導入手段及び水合流手段の構成部分を示す図、図１５は前記フィルタの作用説明図である。この水処理装置において、実施の形態１及び２で既に説明した構成と共通する部材には同一符号を付して説明は省略する。


【手続補正９】
【補正対象書類名】明細書
【補正対象項目名】００９５
【補正方法】変更
【補正の内容】
【００９５】
実施の形態４の水処理装置は前記ＰＨ調整用フィルタ４と水活性用フィルタ６０とを組合わせた構成に特徴がある。


【手続補正１０】
【補正対象書類名】明細書
【補正対象項目名】００９６
【補正方法】変更
【補正の内容】
【００９６】
実施の形態４のＰＨ調整用フィルタ７０は水入口側を前記管路Ｐ３により逆浸透膜フィルタ３の出口部１３と連結すると共に水出口側を前記管路Ｐ４により前記タンク５の入口部５ａと連結して配置され、前記フィルタ３から送出される前記透過水が導入される。


【手続補正１１】
【補正対象書類名】明細書
【補正対象項目名】００９７
【補正方法】変更
【補正の内容】
【００９７】
この実施の形態４のＰＨ調整用フィルタ７０は図１３に示すように、ハウジング７１と、第１の収容室７２と、第２の収容室７３と、水合流室７４と、主流管７５と、前記第１の水処理剤層３５と、前記第２の水処理剤層６４と、分流導入手段７６と、水合流手段７７、及び仕切室７８とを備えている。


【手続補正１２】
【補正対象書類名】明細書
【補正対象項目名】０１１３
【補正方法】変更
【補正の内容】
【０１１３】
実施の形態４の水処理装置のＰＨ調整用フィルタ７０は前記構成を具備してなっている。この構成により、ハウジング７１の水入口７９から導入される逆浸透膜透過水は、図１５に矢印で示すように、フィルタ部材９５、第２の水処理剤層６４、及びフィルタ部材９６を通過して主流管７５内へ送られる。そして、前記水は前記層６４を通過中、セラミック固形物１０１と接触して反応し、前記二価三価鉄塩を含有する水となる。


【手続補正１３】
【補正対象書類名】明細書
【補正対象項目名】０１１７
【補正方法】変更
【補正の内容】
【０１１７】
本発明の水処理装置は、実施の形態４に示すＰＨ調整用フィルタ７０の構成において、前記仕切室７８を省略し、第２の収容室７３と水合流室７４とを前記連通部９３（前記した孔又は溝）で直接連通させる構成を採用することもできる。この構成を採用する場合、第３の仕切板８３及び連通孔９４は不要となる。この構成によると前記層３５を通過した通過水は主流管７５から流出する前記透過水と水合流室７４内で合流する。


【手続補正１４】
【補正対象書類名】明細書
【補正対象項目名】図５
【補正方法】変更
【補正の内容】
【図５】
同上装置に採用されるＰＨ調整用フィルタを示す縦断面図である。


【手続補正１５】
【補正対象書類名】明細書
【補正対象項目名】図１３
【補正方法】変更
【補正の内容】
【図１３】
図１２の装置に使用されるＰＨ調整用フィルタの一例を示す縦断面図である。


【手続補正１６】
【補正対象書類名】明細書
【補正対象項目名】符号の説明
【補正方法】変更
【補正の内容】
【符号の説明】
４…ＰＨ調整用フィルタ
３１…ハウジング
３２…収容室
３３…水合流室
３４…主流管
３５…水処理剤層
３５ｂ…カルシウム成分を含有するセラミック固形物
３６…分流導入手段
３７…水合流手段
３９…水入口
４０…水出口




【手続補正書】
【提出日】平成15年4月1日(2003.4.1)
【手続補正１】
【補正対象書類名】明細書
【補正対象項目名】００５１
【補正方法】変更
【補正の内容】
【００５１】
前記中空管１８の一端１８ｂ（図２において枠体２２側）は閉塞され、前記管１８の他端１８ｃ（図２において枠体２３側）側は前記閉塞板１６を貫通すると共にシールして板１６外に突出させ、この突出端部で前記出口部１３を構成してある。


【手続補正２】
【補正対象書類名】図面
【補正対象項目名】図２
【補正方法】変更
【補正の内容】
【図２】
2004082082.tif 000018